(57)【要約】【課題】  ポケット内に電池パックと貨幣等の導電体とを入れた状態で、この導電体が正端子２と負端子３との短絡と解放とを繰り返しても、この導電体の温度が上昇する事を防止し、この導電体に手指を触れた者が奇異な感じを受けない様にする。【解決手段】  第一、第二の電路５、６同士を、上記両端子２、３の近傍に設けたバイパス電路２２により導通させる。このバイパス電路２２の途中に、抵抗値の大きな、ＯＦＦ状態保持用抵抗２３を設ける。上記両端子２、３同士が一度でも短絡されると、次に充電作業を行なわない限り、上記放電ＦＥＴ７はＯＦＦ断されたままとなる。この結果、上記短絡と解放とが繰り返されても、この放電ＦＥＴ７のＯＮ、ＯＦＦが繰り返されず、上記課題を解決できる。【選択図】  図１
2005185059.tif 000002
【特許請求の範囲】
【請求項１】
二次電池の一方の極と一方の端子とを導通させる第一の電路と、同じく他方の極と他方の端子とを導通させる第二の電路と、この第二の電路の途中に直列に設けられたスイッチング素子と、上記二次電池の放電電流が電流閾値を越えた場合にこのスイッチング素子をＯＦＦする機能及びこの二次電池の充電時にこのスイッチング素子をＯＮ状態に維持する機能を有する監視回路とを備えた二次電池の短絡保護装置に於いて、上記第二の電路の途中で上記スイッチング素子と上記他方の端子との間部分と、上記第一の電路との間に、上記両端子同士の間に接続される負荷の抵抗値よりも大きな抵抗値を有し、これら両端子同士の短絡に伴ってＯＦＦされた上記スイッチング素子をそのままの状態に保持する為のＯＦＦ状態保持用抵抗を設けた事を特徴とする二次電池の短絡保護装置。
【請求項２】
ＯＦＦ状態保持用抵抗の抵抗値を、第一、第二の電路同士の間にこのＯＦＦ状態保持用抵抗と、通常の使用状態で想定される最も抵抗値が低い負荷とが並列に接続された状態で二次電池の放電電流が、電流閾値を越えない程度に大きく、且つ、上記両電路同士の間に上記ＯＦＦ状態保持用抵抗のみが接続された状態での上記放電電流が、監視回路がスイッチング素子をＯＮする指令を出さない程度に小さい値とした、請求項１に記載した二次電池の短絡保護装置。
【請求項３】
ＯＦＦ状態保持用抵抗の抵抗値が１ｋΩ〜１００ＭΩの範囲である、請求項２に記載した二次電池の短絡保護装置。
【発明の詳細な説明】
【技術分野】
【０００１】
この発明は、リチウムイオン電池、ニッケル水素電池、ニッケルカドミウム電池等の二次電池に付属させて、この二次電池の両極同士（＋極と−極と）が何らかの導体により短絡された場合に回路を解放し（開き）、この二次電池を保護する為の短絡保護装置の改良に関する。
【背景技術】
【０００２】
リチウムイオン電池等の二次電池は、繰り返し使用できてコスト的に有利である等の理由により、カメラ、ＶＴＲ、ヘッドフォンステレオ、ノート型パソコン、携帯電話等の各種ポータブル型の電気機器に使用されている。この様な二次電池には、必要とする性能及び耐久性を確保する為、或は、二次電池内部で急激な反応が生じる事を防止して、破裂等の故障が発生するのを防止する為に、次の(1) 〜(3) の機能を持たせる必要がある。
(1) 過充電防止機能
この機能は、充電時に二次電池の電圧が高位側電圧閾値（一般的なリチウムイオン電池の場合で、単セル当たり凡そ４．２Ｖ）を越えた場合に、それ以上の充電を停止する機能である。この機能は、必要とする性能及び耐久性を確保する為に必要である。
(2) 過放電防止機能
この機能は、使用に伴って二次電池の電圧が低位側電圧閾値（一般的なリチウムイオン電池の場合で、単セル当たり凡そ２．３Ｖ）を下回った場合に、それ以上の放電を停止する機能である。この機能も、必要とする性能及び耐久性を確保する為に必要である。
(3) 短絡保護機能
この機能は、例えば二次電池を、金属製のクリップや硬貨等の導電性物品と一緒にポケットや箱等に入れる事でこの二次電池の両極同士が短絡された場合に、回路を遮断する機能である。この機能は、必要とする性能及び耐久性を確保すると共に、上記破裂等の損傷を防止する為に必要である。
【０００３】
この様な機能を果たす為の二次電池用保護回路として従来から、特許文献１、非特許文献１等、各種文献に記載された構造のものが知られ、更に実際に広く実施されている。
この様に広く実施されている二次電池用保護回路の構造及び作用に就いて、上記非特許文献１に記載された図面である、図２〜４により説明する。尚、以下の説明は、二次電池であるリチウムイオン電池１（セル）を図示しないホルダ（ケース）内に保持し、このホルダの一部にその外面に露出する状態で設けた正端子２及び負端子３と上記リチウムイオン電池１との間に、保護回路４を設けたとして行なう。
【０００４】
上記リチウムイオン電池１の＋極（一方の極）と上記正端子２（一方の端子）とを、第一の電路５により導通させると共に、同じく−極（他方の極）と負端子３（他方の端子）とを、第二の電路６により導通させている。そして、この第二の電路６の途中に、スイッチング素子である放電ＦＥＴ７と、第二のスイッチング素子である充電ＦＥＴ８とを、互いに直列に設けている。そして、これら両ＦＥＴ７、８のＯＮ、ＯＦＦ（断接）を、特許請求の範囲に記載した監視回路である、ＩＣ９により制御する様にしている。即ち、このＩＣ９は、充電時には、両ＦＥＴ７、８をＯＮした（閉じた）状態として上記両端子２、３から上記リチウムイオン電池１に電流が流れる様にする。そして、このリチウムイオン電池１の電圧が前記高位側電圧閾値を越えた場合には上記充電ＦＥＴ８をＯＦＦし（開き）、それ以上の充電を停止する。又、上記ＩＣ９は、使用に伴って上記リチウムイオン電池１の電圧が前記低位側電圧閾値を下回った場合に、上記放電ＦＥＴ７をＯＦＦし、それ以上の放電を停止する。更に、上記ＩＣ９は、上記両端子２、３同士が短絡されて、これら両端子２、３間に過大な電流が流れた場合にも、上記放電ＦＥＴ７をＯＦＦし、上記リチウムイオン電池１内で急激な反応が生じる事を防止する。
【０００５】
上述の様な機能を有する上記ＩＣ９は、ＶＭ端子１０と、Ｖcc端子１１と、ＴＤ端子１２と、ＣＯ端子１３と、ＧＮＤ端子１４と、ＤＯ端子１５との、合計６個の端子を備える。これら各端子１０〜１５と、上記リチウムイオン電池１の＋−両極と、上記両端子２、３との接続状態は、図２に示した通りである。又、上記ＩＣ９には、図３に示す様に、過放電検出回路１６と、過充電検出回路１７と、過電流検出回路１８とを設けている。
【０００６】
このうちの過放電検出回路１６は、使用時に上記Ｖcc端子１１を通じて上記リチウムイオン電池１の電圧値を観察し、この電圧値が上記低位側電圧閾値を下回った場合に、上記ＤＯ端子１５を通じて上記放電ＦＥＴ７に信号を送り、この放電ＦＥＴ７をＯＦＦして、それ以上の放電を停止させる。又、上記過充電検出回路１７は、充電時に上記Ｖcc端子１１を通じて上記リチウムイオン電池１の電圧値を観察し、この電圧値が上記高位側電圧閾値を上回った場合に、上記ＣＯ端子１３を通じて上記充電ＦＥＴ８に信号を送り、図４に略示する様にこの充電ＦＥＴ８をＯＦＦして、充電を停止させる。更に、上記過電流検出回路１８は、上記ＶＭ端子１０を通じて上記両端子２、３間を流れる電流値を観察し、この電流値が閾値を越えた場合には、上記ＤＯ端子１５を通じて上記放電ＦＥＴ７に信号を送り、やはり上記図４に略示する様にこの放電ＦＥＴ７をＯＦＦして、それ以上の放電を停止させる。
【０００７】
尚、上記ＶＭ端子１０と上記過放電検出回路１６との間には、充電／負荷検出回路２１を設けている。この充電／負荷検出回路２１は、前記第二の電路６を流れる電流の方向を検出して、その結果を表す信号を上記過放電検出回路１６に送る。そして、この過放電検出回路１６は、上記リチウムイオン電池１を充電する際には、このリチウムイオン電池１の電圧に関係なく（低位側電圧閾値未満であっても）、上記放電ＦＥＴ７を閉じたままにする。又、上記過充電検出回路１７と上記ＣＯ端子１３との間には不感応時間設定回路１９を、上記過放電検出回路１６及び上記過電流検出回路１８と上記ＤＯ端子１５との間には放電制御部不感応時間設定回路２０を、それぞれ設けている。これら各不感応時間設定回路１９、２０は、上記両ＦＥＴ７、８をＯＮ、ＯＦＦさせる制御に関するヒステリシスを設定し、これら両ＦＥＴ７、８のＯＮ、ＯＦＦが過度に頻繁に行なわれる、チャタリングの発生を防止する。更に、図２に示した回路には、電圧、電流を検出する為の、或はノイズによる誤動作を防止する為の抵抗やコンデンサを設けているが、従来から広く実施されている構造であり、本発明と直接関係するものでもないので、図示のみで、詳しい説明は省略する。
【０００８】
上述の様な二次電池用保護回路のうち、上記過放電検出回路１６と上記過充電検出回路１７とに関しては、上記各不感応時間設定回路１９、２０を設ける事により、チャタリングの発生を防止し、上記各回路１６、１７及び上記両ＦＥＴ７、８の耐久性確保を十分に図れる。これに対して、上記過電流検出回路１８に関しては、状況によっては、この過電流検出回路１８が上記放電ＦＥＴ７を頻繁にＯＮ、ＯＦＦさせる可能性がある。例えば、上記リチウムイオン電池１を備えた電池パックを、金属製クリップ、硬貨等の導電体と共にポケットに入れたまま動き、この導電体が、この電池パックの正端子２と負端子３とを導通させたり遮断したりする動作を頻繁に繰り返す可能性がある。この様な状態では、上記導電体が発熱し、使用者の手指がこの導電体に触れた場合に、この使用者が奇異な感じを受ける等、好ましくない事態が発生する可能性がある。この様な不都合を防止する為、前記ＩＣ９に、一度上記放電ＦＥＴ７がＯＦＦされた後は、そのままの状態を保持する為の保持回路を組み込む事も可能である。但し、この場合には、上記ＩＣ９の構造が複雑になり、コストが嵩む事が避けられない。
【０００９】
【特許文献１】特開平１０−２７００９１号公報
【非特許文献１】カタログ、「電池関連ＩＣ／オペアンプＩＣ／データブック／’０２〜’０３」、ミツミ電機株式会社、２００２年、ｐ．２４−ｐ．３３
【発明の開示】
【発明が解決しようとする課題】
【００１０】
本発明は、上述の様な事情に鑑みて、電池パックの正端子と負端子とに同時に触れた導電体が、手指に触れた場合に奇異な感じを与える程に迄発熱する事を防止できる、二次電池の短絡保護装置を、低コストで実現すべく発明したものである。
【課題を解決するための手段】
【００１１】
本発明の二次電池の短絡保護装置は、前述した従来から知られている短絡保護装置と同様に、二次電池の一方の極と一方の端子とを導通させる第一の電路と、同じく他方の極と他方の端子とを導通させる第二の電路と、この第二の電路の途中に直列に設けられたスイッチング素子と、上記二次電池の放電電流が電流閾値を越えた場合にこのスイッチング素子をＯＦＦする機能及びこの二次電池の充電時にこのスイッチング素子をＯＮ状態に維持する機能を有する監視回路とを備える。
特に、本発明の二次電池の短絡保護装置に於いては、上記第二の電路の途中で上記スイッチング素子と上記他方の端子との間部分と、上記第一の電路との間に、上記両端子同士の間に接続される負荷の抵抗値よりも大きな抵抗値を有し、これら両端子同士の短絡に伴ってＯＦＦされた上記スイッチング素子をそのままの状態に保持する為のＯＦＦ状態保持用抵抗を設けている。
【発明の効果】
【００１２】
上述の様に構成する本発明の二次電池の短絡保護装置の場合、二次電池の両極同士が一度でも短絡され、過電流検出回路を含む監視回路が放電ＦＥＴ等のスイッチング素子をＯＦＦした場合には、このスイッチング素子がＯＦＦされた状態のままに保持される。即ち、上記過電流検出回路を含む監視回路は、上記両極同士の間に閾値を越える電流が流れた場合に上記スイッチング素子をＯＦＦするが、この電流がこの閾値以下になった場合でも、直ちにこのスイッチング素子をＯＮする事はない。具体的には、上記監視回路は、このスイッチング素子をＯＮ、ＯＦＦさせる為の電流値に大きなヒステリシスを持っており、一度このスイッチング素子をＯＦＦした後は、この電流値が極小（より具体的には実質的に０）にならない限り、このスイッチング素子をＯＮする事はない。
【００１３】
本発明の二次電池の短絡保護装置の場合、第一、第二の電路同士の間にＯＦＦ状態保持用抵抗を設けているので、これら両電路同士の間には、多少なりとも電流が流れている。この様に上記抵抗を通じて流れる電流の値では、上記監視回路が上記スイッチング素子をＯＦＦする事はない。但し、上述の様に、二次電池の両極同士が一度でも短絡されてこのスイッチング素子がＯＦＦされた場合には、上記抵抗を通じて流れる電流に基づき、上記監視回路がこのスイッチング素子をＯＮする信号を出さず、このスイッチング素子がＯＦＦされた状態のままに保持される。そして、この様にスイッチング素子がＯＦＦされたままの状態は、上記二次電池を充電する為に上記両電路の端部に設けた端子を充電器に接続し、これら両端子と上記二次電池との間で電流の流れる方向が、放電時とは逆になり、上記スイッチング素子がＯＮされるまで継続する。
この結果、上記両端子同士の間に、金属製のクリップ、硬貨等の導電体が繰り返し掛け渡された場合でも、この導電体が、手指が触れた場合に奇異な感じを受ける程、温度上昇する事はない。
【発明を実施するための最良の形態】
【００１４】
本発明を実施する場合に好ましくは、請求項２に記載した様に、ＯＦＦ状態保持用抵抗の抵抗値を、第一、第二の電路同士の間にこのＯＦＦ状態保持用抵抗と、通常の使用状態で想定される最も抵抗値が低い負荷とが並列に接続された状態で二次電池の放電電流が電流閾値を越えない程度に大きく、且つ、上記両電路同士の間に上記ＯＦＦ状態保持用抵抗のみが接続された状態で、監視回路がスイッチング素子をＯＮする指令を出さない程度に小さい値とする。
この様な値として、より具体的には、請求項３に記載した様に、１ｋΩ〜１００ＭΩ（より好ましくは４ｋΩ〜１００ＭΩ）の範囲の値を採用する。例えば携帯電話用のリチウムイオン電池を考えた場合、最も好ましい値は、１００ｋΩ〜１０ＭΩ程度となる。
上記ＯＦＦ状態保持用抵抗の値をこの様な範囲に規制すれば、上記二次電池の放電を抑え（使用可能時間を確保し）つつ、スイッチング素子のＯＮ、ＯＦＦが頻繁に繰り返される事を確実に防止できる。
【実施例】
【００１５】
図１は、本発明の実施例を示している。本実施例は、リチウムイオン電池１、１を２本、互いに直列に接続した、２セル構造に本発明を適用した場合に就いて示している。本実施例の場合、リチウムイオン電池１、１を２本使用する事に伴って、監視回路を構成するＩＣ９ａの端子と抵抗及びコンデンサとの数が、前述の図２に示した従来構造よりも多くなっているが、基本的にはこの図２に示した従来構造と同じである。勿論、この図２に示した構造に就いて、本発明を実施する事も可能である。又、図１で、互いに直列に設けられたコンデンサを１個のコンデンサで置き換える事も可能である。就いては、同等部分には同一符号を付して重複する説明は省略し、以下、本発明の特徴部分を中心に説明する。
【００１６】
本実施例の場合、上記リチウムイオン電池１、１の＋−両極と正端子２、負端子３とを結ぶ第一、第二の電路５、６の中間部でこれら両端子２、３寄り部分同士の間（第二の電路６のうちで放電ＦＥＴ７と負端子３との間部分と、第一の電路５との間）にバイパス電路２２を設け、このバイパス電路２２の途中にＯＦＦ状態保持用抵抗２３を直列に設けている。このＯＦＦ状態保持用抵抗２３の抵抗値の下限は、上記両端子２、３同士の間に接続される負荷の抵抗値よりも大きくしている。又、上記ＯＦＦ状態保持用抵抗２３の抵抗値の上限値は、上記両端子２、３同士の短絡に伴ってＯＦＦされた放電ＦＥＴ８をそのままの状態（ＯＦＦ状態）に保持できる程度としている。
【００１７】
具体的には、上記ＯＦＦ状態保持用抵抗２３の抵抗値の下限は、最低限、上記両端子２、３同士の間に通常の使用状態で想定される最も抵抗値が低い負荷を接続し、この負荷と上記ＯＦＦ状態保持用抵抗２３とが互いに並列に接続される事で、上記第一、第二の電路５、６同士の間の抵抗が、想定される使用条件で最も小さくなった状態でも、上記リチウムイオン電池１、１の放電電流が、上記放電ＦＥＴ８をＯＦＦする為の電流閾値を越えない様にする。一般的には、上記保持用抵抗２３の抵抗値を、上記負荷の抵抗値以上とすれば、この様な下限値の条件を満たす。但し、この様な下限値程度では、上記リチウムイオン電池１、１の放電量が多くなり、このリチウムイオン電池１、１の消耗が著しく（使用可能時間が短く）なる。従って、現実的には、上記保持用抵抗２３の抵抗値の下限は、上記リチウムイオン電池１、１の消耗量を抑える面から規定する。この点から考えると、上記保持用抵抗２３の抵抗値は、１ｋΩ以上、より好ましくは４ｋΩ以上、最も好ましくは１００ｋΩ以上とする。例えば、携帯電話用として一般的な、容量が６００ｍＡｈで電圧が４Ｖ程度のリチウムイオン電池を考えた場合、上記保持用抵抗２３の抵抗値を１ｋΩとすれば、負荷を使用せずに放置した場合の使用可能時間が１５０時間となり、４ｋΩとすれば同じく６００時間となる。
【００１８】
一方、上記ＯＦＦ状態保持用抵抗２３の抵抗値の上限は、上記両電路５、６同士の間にこのＯＦＦ状態保持用抵抗２３が接続された状態で、前記ＩＣ９ａが前記放電ＦＥＴ８をＯＮする指令を出さない値とする。即ち、上記ＯＦＦ状態保持用抵抗２３の抵抗値が過大になり、絶縁体に近くなると、上記両電路５、６同士の間に流れる電流が殆ど０になり、この電流の存在を検知する事ができなくなる。この状態では、上記ＩＣ９ａが上記放電ＦＥＴ８をＯＮする指令を出して、この放電ＦＥＴ８がＯＮされてしまう為、上記ＯＦＦ状態保持用抵抗２３を設けた意味がなくなる。一般的な二次電池程度の電圧（４〜８Ｖ程度）で、上記ＩＣ９ａが上記両電路５、６同士の間に流れる電流の存在を検知可能にする為には、上記ＯＦＦ状態保持用抵抗２３の抵抗値を１００ＭΩ以下、好ましくは１０ＭΩ以下に抑える必要がある。
これらの事を考慮すれば、上記ＯＦＦ状態保持用抵抗２３の抵抗値は、１ｋΩ〜１００ＭΩ、より好ましくは４ｋΩ〜１００ＭΩ、例えば携帯電話用のリチウムイオン電池を考えた場合に最も好ましくは１００ｋΩ〜１０ＭΩ程度とする。
【００１９】
上述の様に構成する本実施例の二次電池の短絡保護装置の場合、次の様に作用して、上記リチウムイオン電池１、１及び回路各部の保護を図る。先ず、上記両電極５、６同士の間の抵抗が、通常の使用状態で想定される値程度である場合には、上記ＩＣ９ａ内の過電流検出回路１８（図３参照）は、前記第一、第二の電路５、６を流れる電流が過大であるとは判定しない。上記ＯＦＦ状態保持用抵抗２３の抵抗値は、上記両電極５、６同士の間に接続される負荷の抵抗値よりも遥かに大きい為、上記ＯＦＦ状態保持用抵抗２３をこの負荷と並列に設けた事によっても、通常の使用状態では、過電流検出回路１８が上記第一、第二の電路５、６を流れる電流が過大であるとは判定する事はない。
【００２０】
これに対して、例えば上記リチウムイオン電池１、１を備えた電池パックを、金属製クリップ等の導電体と共にポケットに入れたまま動き、この導電体が上記両電極５、６に同時に接触する等により、前記リチウムイオン電池１、１の＋−両極同士が短時間でも短絡されると、上記過電流検出回路１８が、前記第一、第二の電路５、６を流れる過大な電流を検知する。そして、上記ＩＣ９ａが放電ＦＥＴ７をＯＦＦし、上記＋−両極同士の間で電流が流れない様にして、上記リチウムイオン電池１、１の内部で急激な反応が生じる事を防止し、このリチウムイオン電池１、１が破裂する等の故障が発生するのを防止する。
【００２１】
この様に、一度でも上記ＩＣ９ａが放電ＦＥＴ７をＯＦＦした場合には、その後、充電作業を行なわない限り、この放電ＦＥＴ７がＯＦＦされた状態のままに保持される。即ち、上記過電流検出回路１８を含むＩＣ９ａは、上記＋−両極同士の間に閾値を越える電流が流れた場合に上記放電ＦＥＴ７をＯＦＦするが、この電流がこの閾値以下になった場合でも、直ちにこの放電ＦＥＴ７をＯＮする事はない。具体的には、上記ＩＣ９ａは、大きなヒステリシスを持っており、過電流検出回路１８（図３）が過電流を検出した場合、この過電流検出回路１８が電流を検出できなくなるまで、過電流の存在を示す信号を出し続ける。従って、一度この過電流検出回路１８が過電流を検出し、上記ＩＣ９ａが上記放電ＦＥＴ７をＯＦＦした後は、上記第一、第二の電路５、６を流れる電流値が極小（より具体的には実質的に０）にならない限り、上記放電ＦＥＴ７はＯＮされない。
【００２２】
本実施例の場合、上記第一、第二の電路５、６同士の間に前記ＯＦＦ状態保持用抵抗２３を設けているので、これら両電路５、６同士の間には、多少なりとも（過電流検出回路１８が検出できる程度の）電流が流れている。この様に、上記リチウムイオン電池１、１の＋−両極同士が一度でも短絡されて上記放電ＦＥＴ７がＯＦＦされた場合には、上記ＯＦＦ状態保持用抵抗２３を通じて流れる電流に基づき、上記ＩＣ９ａが上記放電ＦＥＴ７をＯＮする信号を出さず、この放電ＦＥＴ７がＯＦＦされた状態のままに保持される。従って、前記金属製クリップ等の導電体が、前記電池パックの正端子２と負端子３との間に、金属製のクリップ、硬貨等の導電体が繰り返し掛け渡された場合でも、この導電体が、手指が触れた場合に奇異な感じを受ける程、温度上昇する事はない。
【００２３】
上述の様に、上記放電ＦＥＴ７がＯＦＦされたままの状態は、上記リチウムイオン電池１、１を充電する事で解消される。即ち、このリチウムイオン電池１、１を充電する際には、このリチウムイオン電池１、１の＋−両極と前記両端子２、３とを結ぶ、上記第一、第二の電路５、６を流れる電流の方向が、使用時及びこれら両端子２、３の短絡時とは逆になる。この様に、電流の流れ方向が逆になった事は、充電／負荷検出回路２１（図３）が検出し、上記放電ＦＥＴ７をＯＮする。従って、一度充電作業を行なえば、上記両端子２、３が短絡される以前の状態に復帰して、上記リチウムイオン電池１、１を備えた電池パックを、通常通り使用できる。
【００２４】
以上に述べた実施例の説明からも明らかな通り、本発明の二次電池の短絡保護装置は、従来から広く実施されている装置に抵抗値の大きな抵抗を１個追加するだけで、放電ＦＥＴ７のＯＮ、ＯＦＦが繰り返される事を防止し、正端子と負端子との間に繰り返し掛け渡された導電体の温度が上昇する事を防止できる。例えば、前述の図２に示した従来構造でも、第一、第二の電路５、６のうちでそれぞれ正端子２或は負端子３に近い部分同士の間にバイパス電路２２及び抵抗２３（図１）を設ける事で、放電ＦＥＴ７の耐久性向上を図れる。この結果、優れた耐久性を有する二次電池パックを低コストで得られる。
【図面の簡単な説明】
【００２５】
【図１】本発明の実施例を示す回路図。
【図２】従来構造の１例を示す回路図。
【図３】ＩＣ内部の回路図。
【図４】過放電及び過充電を防止する回路が作動した状況を略示する回路図。
【符号の説明】
【００２６】
１    リチウムイオン電池
２    正端子
３    負端子
４    保護回路
５    第一の電路
６    第二の電路
７    放電ＦＥＴ
８    充電ＦＥＴ
９、９ａ  ＩＣ
１０    ＶＭ端子
１１    Ｖcc端子
１２    ＴＤ端子
１３    ＣＯ端子
１４    ＧＮＤ端子
１５    ＤＯ端子
１６    過放電検出回路
１７    過充電検出回路
１８    過電流検出回路
１９    不感応時間設定回路
２０    放電制御部不感応時間設定回路
２１    充電／負荷検出回路
２２    バイパス電路
２３    ＯＦＦ状態保持用抵抗
【図１】
2005185059.tif 000003
【図２】
2005185059.tif 000004
【図３】
2005185059.tif 000005
【図４】
2005185059.tif 000006